(57)【要約】【課題】転動体や共鳴室部に唾液が付着しても、転動体の動きが滑らかで、音の劣化が防止できるようにする。【解決手段】転動体２が端の閉じられた筒形又は端の開口した筒形又は棒形に構成される一方、内部空室部９に対する転動体２の接触面積を減少させるための周側突き放し部１１；１２及び端側突き放し部１３；１４が転動体２に設けられており、転動体２がホイッスル本体部３の内部空室部９に収容された後に、ホイッスルケース部４がホイッスル本体部３に被せられ、ホイッスル本体部３とホイッスルケース部４とが接着又は溶着により一体化されることにより、ホイッスル１が転動体２とマウスピース部５と共鳴室部６と吹出口部７とを有する形に構成される。周側突き放し部１１；１２及び端側突き放し部１３；１４が内部空室部９の内周面に設けられても実施は可能である。【選択図】図１
2014092709.tif 000002
【特許請求の範囲】
【請求項１】
人の口に当てるマウスピース部と、マウスピース部から導入された空気を円形に流動させる円柱形の内部空室部を有する共鳴室部と、共鳴室部の内部空室部に収納され空気の流動に伴って回転する転動体と、マウスピース部と共鳴室部との間に設けられた吹出口とを有するホイッスルにおいて、転動体が端の閉じられた筒形又は端の開口した筒形又は棒形に構成される一方、内部空室部に対する転動体の接触面積を減少させるための周側突き放し部が転動体又は内部空室部の内周面に設けられたことを特徴とするホイッスル。
【請求項２】
転動体が、共鳴室部の内部空室部で、無作為な姿勢で回転することなく、転動体の外周面と周側突き放し部の外周面とを共鳴室部の内部空室部の側の内周面に向き合うような作為な姿勢で回転する大きさに構成されたことを特徴とする請求項１記載のホイッスル。
【請求項３】
周側突き放し部が円環形に構成されたことを特徴とする請求項１記載のホイッスル。
【請求項４】
転動体に貫通孔部又は凹部が設けられたことを特徴とする請求項１記載のホイッスル。
【請求項５】
内部空室部の端面に対する転動体の接触面積を減少させるための端側突き放し部が転動体又は内部空室部の端面に設けられたことを特徴とする請求項１記載のホイッスル。
【請求項６】
端側突き放し部が端側突き放し部の突出した先端の側と転動体の側又は内部空室部の側とに凸凹形に構成されたことを特徴とする請求項５記載のホイッスル。
【請求項７】
端側突き放し部が転動体又は内部空室部の周囲の方向で複数個に分かれた凸形に構成されたことを特徴とする請求項５記載のホイッスル。
【請求項８】
人の口に当てるマウスピース部と、マウスピース部から導入された空気を円形に流動させる円柱形の内部空室部を有する共鳴室部と、共鳴室部の内部空室部に収納され空気の流動に伴って回転する転動体と、マウスピース部と共鳴室部との間に設けられた吹出口とを有するホイッスルにおいて、転動体が両端の側を中心部よりも太い筒形又は棒形に構成されたことを特徴とするホイッスル。
【発明の詳細な説明】
【技術分野】
【０００１】
本発明は、共鳴室部の内部空間部に転動体を有するホイッスルに関する。
【背景技術】
【０００２】
図１５は、特許文献１で開示されたホイッスルを示す。図１５において、ホイッスル４１は、共鳴室部４２の円柱形の内部空室部４３に収納された転動体４４を、人の口に当てるマウスピース部４５から内部空室部４３に導入されて円形に流動する空気で回転する一方、空気の一部を内部空室部４３から共鳴室部４２とマウスピース部４５との間に設けられた吹出口部４６より外部に吹き出すようになっている。しかしながら、転動体４４が筒形又は棒形又は球形であっても、共鳴室部の内部空室部４３に入った唾液等により、転動体４４の動きが悪くなり、音の劣化が発生するという欠点がある。
【０００３】
特許文献２で開示されたホイッスルの回転子は、図１５の転動体４４に相当するものであり、中心の棒に半円板を球形になるように多数個設けた形である。特許文献３で開示されたホイッスルの笛球は、図１５の転動体４４に相当するものであり、内部のくりぬかれていない中実形の球体の外周面に突起が多数個設けられた形である
【０００４】
よって、特許文献２に記載された多数個の半円板又は特許文献３に記載された多数個の突起を図１５に記載された転動体に応用しても、転動体の回転に対するつり合いが悪くなり、音が劣化するという欠点がある。
【先行技術文献】
【特許文献】
【０００５】
【特許文献１】特許第３３３６１８３号公報
【特許文献２】実開昭５５−１３８６９４号公報
【特許文献３】実開昭６０−１６９６９８号公報
【発明の概要】
【発明が解決しようとする課題】
【０００６】
本発明は、上記背景技術に鑑みてなされたものであり、転動体や共鳴室部に唾液が付着しても、転動体の動きが滑らかで、音の劣化が防止できることを目的とする。
【課題を解決するための手段】
【０００７】
本発明は、人の口に当てるマウスピース部と、マウスピース部から導入された空気を円形に流動させる円柱形の内部空室部を有する共鳴室部と、共鳴室部の内部空室部に収納され空気の流動に伴って回転する転動体と、マウスピース部と共鳴室部との間に設けられた吹出口とを有するホイッスルにおいて、転動体が端の閉じられた筒形又は端の開口した筒形又は棒形に構成される一方、内部空室部に対する転動体の接触面積を減少させるための周側突き放し部が転動体又は内部空室部の内周面に設けられたことを特徴とする。
【発明の効果】
【０００８】
本発明は、転動体が端の閉じられた筒形又は端の開口した筒形又は棒形に構成される一方、内部空室部に対する転動体の接触面積を減少させるための周側突き放し部が転動体又は内部空室部の内周面に設けられたか、又は、転動体が両端の側を中心部よりも太い筒形又は棒形に構成されたので、転動体の動きが滑らかで、音の劣化が防止できるという効果がある。
【０００９】
本発明にあっては、転動体が、共鳴室部の内部空室部で、無作為な姿勢で回転することなく、転動体の外周面と周側突き放し部の外周面とを共鳴室部の内部空室部の側の内周面に向き合うような作為な姿勢で回転する大きさに構成されれば、転動体の動きが一様で、音の劣化が防止できる。又、周側突き放し部が円環形に構成されれば、周側突き放し部の磨耗が減少する。又、転動体に貫通孔部又は凹部が設けられれば、音質や音圧レベルを調整することができる。又、内部空室部の端面に対する転動体の接触面積を減少させるための端側突き放し部が転動体又は内部空室部の端面に設けられれば、転動体の動きがより滑らかになる。又、端側突き放し部が端側突き放し部の突出した先端の側と転動体の側又は内部空室部の側とに凸凹形に構成されるか、又は、端側突き放し部が転動体又は内部空室部の周囲の方向で複数個に分かれた凸形に構成されれば、端側突き放し部の共鳴室部への接触面積が減少し、転動体の動きがより滑らかになる。
【図面の簡単な説明】
【００１０】
【図１】実施の形態１に係るホイッスルを分解して示す斜視図。
【図２】実施の形態１に係るホイッスルの概観を示す斜視図。
【図３】図２の１００−１００線断面図。
【図４】図２の１０１−１０１線断面図。
【図５】実施の形態２に係るホイッスルを分解して示す斜視図。
【図６】実施の形態３に係るホイッスルを分解して示す斜視図。
【図７】実施の形態４に係るホイッスルを分解して示す斜視図。
【図８】実施の形態５に係るホイッスルを分解して示す斜視図。
【図９】実施の形態６に係るホイッスルを分解して示す斜視図。
【図１０】実施の形態７に係るホイッスルを分解して示す斜視図。
【図１１】実施の形態８に係るホイッスルを分解して示す斜視図。
【図１２】実施の形態９に係るホイッスルを分解して示す斜視図。
【図１３】実施の形態１０に係る１０１−１０１線断面図に相当する断面図。
【図１４】実施の形態１１に係るホイッスルを分解して示す斜視図。
【図１５】従来のホイッスルの内部を示す断面図。
【発明を実施するための形態】
【００１１】
図１乃至図１４では、同一の機能を有する部分には同一の符号を付してある。図１乃至図４を参照し、実施の形態１に係るホイッスル１について説明する。図１に示すように、ホイッスル１は、転動体２がホイッスル本体部３の内部空室部９に収容された後に、ホイッスルケース部４がホイッスル本体部３に被せられ、ホイッスル本体部３とホイッスルケース部４とが一体化されて、転動体２とマウスピース部５と共鳴室部６と吹出口部７とを有する形に構成される。
【００１２】
マウスピース部５は、図示をしない人の口に当てる部分である。マウスピース部５の内部には、空気誘導通路８が人の口から吹き出された空気を共鳴室部６の側に誘導する形に設けられる。共鳴室部６の内部には、内部空室部９がマウスピース部５から導入された空気を円形に流動させる円柱形に設けられる。共鳴室部６の内部空室部９には、転動体２が、内部空室部９における空気の流動に伴って回転するように収容される。吹出口部７は、空気の一部を内部空室部９から外部に吹き出すように、マウスピース部５と共鳴室部６との間に設けられる。
【００１３】
転動体２の材料としては、合成樹脂、天然樹脂、合成ゴム、天然ゴム、有機質材料、無機質材料を用いることが可能である。有機質材料は、織物、木、皮革、紙等である。無機質は、石、金属、陶磁器、ガラス等である。又、転動体２を合成樹脂で構成する場合、軟質な合成樹脂であるポリエチレン、硬質な合成樹脂であるポリプロピレン、発泡合成樹脂等が考えられるが、ポリエチレンを用いれば、軟質のため、吹いた時の不快な振動がなく、転動体２の摩耗が少なく、耐久性が高くなる。
【００１４】
転動体２は端の閉じられた筒形又は端の開口した筒形又は棒形に構成されが、図１では転動体２が端の開口した筒形に構成された場合を例示した。又、内部空室部９に対する転動体２の接触面積を減少させるための周側突き放し部１１；１２は転動体２又は内部空室部９の内周面に設けられるものであるが、図１では周側突き放し部１１；１２が転動体２に設けられた場合を例示した。更に、内部空室部９に対する転動体２の接触面積を減少させるための端側突き放し部１３；１４は転動体２又は内部空室部９の端面に設けられるものであるが、図１では端側突き放し部１３；１４が転動体２の両端面に設けられた場合を例示した。
【００１５】
転動体２が端の閉じられた筒形又は端の開口した筒形に構成される場合における筒形は、丸棒の内部に円柱形空間部を丸棒の両端に貫通し、内外同心円形の円筒形を構成する。内外同心円形は、丸棒の円形な外周面と円柱形空間部側の内周面とが、互いに円の両端の側に延びる中心を同じ位置とする同心の円形である。このように転動体２が内外同心円形の筒形であれば、転動体２の内周面と外周面との間の厚さが一様になり、転動体２がつり合いよく滑らかに回転する。転動体２の両端は、内部空室部９の中心の延びる方向に位置する。
【００１６】
周側突き放し部１１；１２は、転動体２の両端の側から当該両端の側に交差する方向の外側に突出する形に設けられる。周側突き放し部１１；１２の厚さ及び突出する寸法は、両端の側の双方で同じ寸法になっている。よって、転動体２の回転に対するつり合いが良く、転動体２の回転が安定する。又、周側突き放し部１１；１２は、転動体２を囲む円環形に構成されたので、周側突き放し部１１；１２が転動体２の回転時の抵抗にならない。
【００１７】
端側突き放し部１３；１４は、転動体２の両端又は周側突き放し部１１；１２から転動体２の両端の方向の外側に突出する形に設けられる。端側突き放し部１３；１４は同じ直径の円環形であり、端側突き放し部１３；１４の厚さ及び突出する寸法は、両端の側の双方で同じ寸法になっている。よって、転動体２の回転に対するつり合いが良く、転動体２の回転が安定する。
【００１８】
又、端側突き放し部１３；１４が端側突き放し部１３；１４の突出した先端の側と転動体２の側とに凸凹形に構成されたので、端側突き放し部１３；１４が凸凹形になっていない円環形に構成された場合に比べ、共鳴室部６への接触面積が減少し、転動体２の回転が滑らかになる。とりわけ、凸形の先端部が円弧形に構成されたので、凸形の先端が平形に構成された場合に比べ、共鳴室部６への接触面積がさらに減少し、転動体２の回転が一層滑らかになる。実験の結果、凸形が６個で周囲の方向に等分の間隔で配置されると、安定性と抵抗性とのつり合いがよかった。
【００１９】
一方、ホイッスル本体部３は、マウスピース部５と共鳴室部６と吹出口部７とのそれぞれの一方に相当する部分を備え、それぞれの一方に相当する部分の一端の側を開口した箱形であり、開口端に凹形又は凸形の開口側嵌合部１５を備え、共鳴室部６よりも外側に凹形又は凸形の周縁側嵌合部１６を備える。ホイッスルケース部４は、マウスピース部５と共鳴室部６と吹出口部７とのそれぞれの他方に相当する部分を備えた板状であり、凸形又は凹形の開口側嵌合部１７と突起部１８と凸形又は凹形の周縁側嵌合部１９とを備える。ホイッスル本体部３及びホイッスルケース部４の材料としては、合成樹脂、天然樹脂、合成ゴム、天然ゴム、有機質材料、無機質材料を用いることが可能である。有機質材料は、木、紙等である。無機質は、石、金属、陶磁器、ガラス等である。
【００２０】
そして、ホイッスル１が組み立てられる場合、転動体２の外周面２０と周側突き放し部１１；１２の外周面２１；２２とが内部空室部９の内周面に向き合うように、転動体２が内部空室部９に収容される。その後、ホイッスル本体部３の開口側嵌合部１５とホイッスルケース部４の開口側嵌合部１７とが互いに嵌め合わされ、ホイッスル本体部３の周縁側嵌合部１６とホイッスルケース部４の周縁側嵌合部１９とが互いに嵌め合わされ、ホイッスル本体部３とホイッスルケース部４とが接着又は溶着により一体化される。
【００２１】
これにより、ホイッスル本体部３の一端の側の開口がホイッスルケース部４で塞がれ、ホイッスルケース部４の周縁側嵌合部１９の一部がホイッスル本体部３の周縁側嵌合部１６とホイッスルケース部４の突起部１８との間にそれらよりも細い形に配置されて紐連結部を構成し、ホイッスル１が図２に示す形に構成される。
【００２２】
図３において、マウスピース部５が図示をしない人の口に当てられ、その人の口から空気が矢印Ｘで示すように空気誘導通路８を経由して共鳴室部６の内部空室部９に吹き込まれると、その吹き込まれた空気が内部空室部９の内周面に沿う円形を描くよう流動し、この円形を描いて流動する空気により転動体２が内部空室部９の内周面に沿って回転する。その場合、転動体２の外周面２０が内部空室部９の内周面に接触することなく離れており、周側突き放し部１１；１２の直径が内部空室部９の直径よりも小さいので、周側突き放し部１１；１２の外周面２１；２２の一部が内部空室部９の内周面に接触するだけであり、転動体２や共鳴室部６に唾液が付着しても、転動体２が円滑に回転し、音の劣化が防止できる。
【００２３】
図４を参照し、転動体２における端側突き放し部１３；１４の間の寸法について説明する。この端側突き放し部１３；１４の間の寸法Ｌ１は、内部空室部９の中心の延びる方向の寸法Ｌ２に対し、転動体２が内部空室部９の中心の延びる方向に直線的に移動可能であるものの、周側突き放し部１１；１２の外周面２１；２２が内部空室部９の中心の延びる方向に位置する両端面に向くような姿勢に転動体２が回転することはないように設定される。これにより、転動体２が内部空室部９の内部で無作為な姿勢で回転することなく転動体２の外周面２０と周側突き放し部１１；１２の外周面２１；２２とを内部空室部９の内周面に常に向き合うような作為な姿勢で回転する大きさに構成された形態である。
【００２４】
これにより、転動体２が内部空室部９の内周面に沿う円形を描いて流動する空気により内部空室部９の内周面に沿って回転する場合、転動体２の両端面が内部空室部９側の内周面に向き合う姿勢になることがなく、転動体２の外周面２０と周側突き放し部１１；１２の外周面２１；２２とが内部空室部９の内周面に常に向き合うような作為な姿勢で回転し、一定の音質及び音圧レベルが得られる。
【００２５】
尚、図４における端側突き放し部１３；１４の間の寸法Ｌ１は転動体２が端側突き放し部１３；１４を備えた場合のものであり、転動体２が端側突き放し部１３；１４を備えない場合は、端側突き放し部１３；１４の間の寸法Ｌ３を転動体２の両端の側の寸法Ｌ１と読み替えることにより実施は可能である。
【００２６】
図５を参照し、実施の形態２に係るホイッスル１について説明する。このホイッスル１は、転動体２がホイッスル本体部３に収容された後に、ホイッスルケース部４がホイッスル本体部３に被せられ、ホイッスル本体部３とホイッスルケース部４とが一体化されることにより、マウスピース部５と共鳴室部６と転動体２と吹出口部７とを有する形に構成される。実施の形態２に係る転動体２に設けられた端側突き放し部１３；１４が凸凹形になっていない円環形に構成されたので、端側突き放し部１３；１４の磨耗が減少する。
【００２７】
図６を参照し、実施の形態３に係るホイッスル１について説明する。このホイッスル１は、転動体２がホイッスル本体部３に収容された後に、ホイッスルケース部４がホイッスル本体部３に被せられ、ホイッスル本体部３とホイッスルケース部４とが一体化されることにより、マウスピース部５と共鳴室部６と転動体２と吹出口部７とを有する形に構成される。実施の形態３に係る転動体２は、端側突き放し部１３；１４が転動体２を囲む側で複数個に分かれた凸形に構成されている。
【００２８】
又、転動体２には貫通孔部２３が設けられたので、転動体２が軽量になるうえ、音質や音圧レベルを調整することができる。貫通孔部２３は、転動体２を内外に貫通する形であり、スリット形、開口形、丸孔形、角孔形等の何れの形でも実施は可能である。貫通孔部２３の個数は、１個でも適用は可能であるが転動体２の周囲の方向に等分の間隔で配置される複数個であれば、安定性と抵抗性とのつり合いが良い。貫通孔部２３は、図１、図５、図７、図８、図１０、図１１、図１２のそれぞれに示す転動体２に設けても、実施は可能である。
【００２９】
尚、図示はしないが、転動体２が端の閉じられた筒形又は端の開口した筒形又は棒形の何れにおいても、貫通孔部２３に置換した凹部が転動体２に形成され、転動体２を軽量にしても、実施は可能である。凹部は、転動体２の外周面から内部に窪む形であり、溝形、丸形、角形等のいずれの形でも実施は可能である。凹部の個数は、１個でも適用は可能であるが、転動体２の周囲の方向に等分の間隔で配置される複数個であれば、安定性と抵抗性とのつり合いが良い。
【００３０】
図７を参照し、実施の形態４に係るホイッスル１について説明する。このホイッスル１は、転動体２がホイッスル本体部３に収容された後に、ホイッスルケース部４がホイッスル本体部３に被せられ、ホイッスル本体部３とホイッスルケース部４とが一体化されることにより、マウスピース部５と共鳴室部６と吹出口部７と転動体２とを有する形に構成される。
【００３１】
実施の形態４に係る転動体２及び転動体２に設けられた端側突き放し部１３；１４が、両端を開口した四角形の筒形になっている。この四角形の筒形は、四角な棒の内部に四角柱形空間部を棒の両端に貫通し、内外同心四角形の筒形を構成する。内外同心四角形は、四角な棒の四角形な外周面と四角柱形空間部側の内周面とが、互いに四角形の両端の側に延びる中心を同じ位置とする同心の四角形である。このように転動体２及び端側突き放し部１３；１４が内外同心四角形の筒形であれば、転動体２及び端側突き放し部１３；１４の内周面と外周面との間の厚さが一様になり、転動体２がつり合いよく滑らかに回転する。
【００３２】
図８を参照し、実施の形態５に係るホイッスル１について説明する。このホイッスル１は、転動体２がホイッスル本体部３に収容された後に、ホイッスルケース部４がホイッスル本体部３に被せられ、ホイッスル本体部３とホイッスルケース部４とが接着又は溶着により一体化されることにより、マウスピース部５と共鳴室部６と吹出口部７と転動体２とを有する形に構成される。
【００３３】
実施の形態５に係る転動体２及び転動体２に設けられた端側突き放し部１３；１４が、両端を開口した多角形の筒形になっている。この多角形の筒形は、多角な棒の内部に多角柱形空間部を棒の両端に貫通し、内外同心多角形の筒形を構成する。内外同心多角形は、多角な棒の多角形な外周面と多角柱形空間部側の内周面とが、互いに多角形の両端の側に延びる中心を同じ位置とする同心の多角形である。このように転動体２及び端側突き放し部１３；１４が内外同心多角形の筒形であれば、転動体２及び端側突き放し部１３；１４の内周面と外周面との間の厚さが一様になり、転動体２がつり合いよく滑らかに回転する。
【００３４】
図９を参照し、実施の形態６に係るホイッスル１について説明する。このホイッスル１は、転動体２がホイッスル本体部３に収容された後に、ホイッスルケース部４がホイッスル本体部３に被せられ、ホイッスル本体部３とホイッスルケース部４とが一体化されることにより、マウスピース部５と共鳴室部６と転動体２と吹出口部７とを有する形に構成される。実施の形態６に係る転動体２は棒形に構成される一方、転動体２に凹部２４が設けられ、端側突き放し部１３；１４が周側突き放し部１１；１２に設けられた造形である。
【００３５】
図１０を参照し、実施の形態７に係るホイッスル１について説明する。このホイッスル１は、転動体２がホイッスル本体部３に収容された後に、ホイッスルケース部４がホイッスル本体部３に被せられ、ホイッスル本体部３とホイッスルケース部４とが一体化されることにより、マウスピース部５と共鳴室部６と吹出口部７と転動体２とを有する形に構成される。
【００３６】
実施の形態７に係る転動体２は、両端の側を中心部よりも細い筒形又は棒形に構成された造形である。転動体２が共鳴室部６に触れないように、転動体２のもっとも太い部分は周側突き放し部１１；１２の外形よりも細くなっている。端側突き放し部が設けられていない構造を例示したが、端側突き放し部が設けられも、実施は可能である。
【００３７】
図１１を参照し、実施の形態８に係るホイッスル１について説明する。このホイッスル１は、転動体２がホイッスル本体部３に収容された後に、ホイッスルケース部４がホイッスル本体部３に被せられ、ホイッスル本体部３とホイッスルケース部４とが一体化されることにより、マウスピース部５と共鳴室部６と吹出口部７と転動体２とを有する形に構成される。
【００３８】
実施の形態８に係る転動体２は、両端の側を中心部よりも太い筒形又は棒形に構成された造形である。よって、転動体２の最も太い両端が円環形で図１の周側突き放し部１１；１２に相当し、転動体２の最も太い両端の一部が回転時に共鳴室部６に接触するようになっている。
【００３９】
図１２を参照し、実施の形態９に係るホイッスル１について説明する。このホイッスル１は、転動体２がホイッスル本体部３に収容された後に、ホイッスルケース部４がホイッスル本体部３に被せられ、ホイッスル本体部３とホイッスルケース部４とが一体化されることにより、マウスピース部５と共鳴室部６と吹出口部７と転動体２とを有する形に構成される。実施の形態９に係る転動体２は、両端の側を中心部よりも太い筒形又は棒形に構成された造形である。よって、転動体２の最も太い両端が円環形で図１の周側突き放し部１１；１２に相当し、転動体２の最も太い両端の一部が回転時に共鳴室部６に接触するようになっている。
【００４０】
図１３を参照し、実施の形態１０に係るホイッスル１について説明する。このホイッスル１は、転動体２がホイッスル本体部３に収容された後に、ホイッスルケース部４がホイッスル本体部３に被せられ、ホイッスル本体部３とホイッスルケース部４とが一体化されることにより、マウスピース部５と共鳴室部６と図示をしていない吹出口部と転動体２とを有する形に構成される。実施の形態１０に係る転動体２は、周側突き放し部１１；１２を備えるものの端側突き放し部を備えていない構造である。
【００４１】
このように転動体２が端側突き放し部を備えていない場合には、内部空室部９に対する転動体２の接触面積を減少させるための端側突き放し部１３；１４が内部空室部９の両端面に設けたことにより、転動体２の動きが滑らかで、音の劣化が防止できる。端側突き放し部１３；１４の形は、図１、図５、図６、図７、図８のそれぞれに示す端側突き放し部１３；１４の形に構成しても実施は可能である。又、転動体２は端の閉じられた内部空間部２５を有する中空な筒形でも実施は可能である。
【００４２】
図１４を参照し、実施の形態１１に係るホイッスル１について説明する。このホイッスル１は、ホイッスル本体部３が共鳴室部６を上側共鳴室部２６と下側共鳴室部２７とに上下に分割した造形に構成される。上側共鳴室部２６には、上側内部空室部２８と上側開口側嵌合部３０と上周側突き放し部３２；３３とが設けられる。上周側突き放し部３２；３３は、吹出口部７の部分には設けられておらず、上側内部空室部２８の内周面に両端の側に位置して設けられる。下側共鳴室部２７には、下側内部空室部２９と下側開口側嵌合部３１と下周側突き放し部３４；３５とが設けられる。下周側突き放し部３４；３５は、下側内部空室部２９の内周面に両端の側に位置して設けられる。
【００４３】
そして、上側共鳴室部２６の下部と下側共鳴室部２７の上部とが互いに接着又は溶着により一体化されることにより共鳴室部６を構成し、上側内部空室部２８と下側内部空室部２９とが共鳴室部９を構成し、上側開口側嵌合部３０と下側開口側嵌合部３１とが開口側嵌合部１５を構成し、上周側突き放し部３２；３３と下周側突き放し部３４；３５とが周側突き放し部１１；１２を構成する。
【００４４】
このように上側共鳴室部２６の下部と下側共鳴室部２７とからなる共鳴室部６を備えたホイッスル本体部３に転動体２が収容された後に、ホイッスルケース部４がホイッスル本体部３に被せられ、ホイッスル本体部３とホイッスルケース部４とが一体化されることにより、転動体２とマウスピース部５と共鳴室部６と吹出口部７とを有する形に構成される。
【００４５】
実施の形態１１に係る転動体２は端の閉じた筒形又は棒形でも実施は可能であるが、転動体２が端の開口した筒形に構成されているので、内部空室部２９の端面に端側突き放し部１３；１４を設けなくても内部空室部９に対する転動体２の接触面積は減少する。
【００４６】
尚、図１乃至図１２において、転動体２と端側突き放し部１３；１４との組み合わせは、例えば、円形な筒形の転動体２に四角形な筒形の端側突き放し部１３；１４を組み合わせる、又は、四角形な筒形の転動体２に円環形の端側突き放し部１３；１４を組み合わせる等、種々選択しても、実施は可能である。
【００４７】
又、転動体２の筒形は、三角形又は四角形又は五角形以上の多角形な棒の内部に円柱形空間部を棒の両端に貫通する形、又は、丸棒の内部に三角形又は四角形又は五角形以上の多角形の柱形空間部を棒の両端に貫通する形、又は、両端の塞がれた内部空間部２５を有する中空な形でも、実施は可能である。又、転動体２が内部のくりぬかれていない棒形であっても、適用は可能である。
【００４８】
転動体２が棒形である場合、発泡合成樹脂により構成すれば、軽量になる。その場合、周側突き放し部１１；１２及び端側突き放し部１３；１４、周側突き放し部１１；１２又は端側突き放し部１３；１４を発泡合成樹脂により構成して、適用は可能である。
【００４９】
図１０乃至図１２では、図１、図５乃至図９のそれぞれに示す端側突き放し部１３；１４が設けられていなので、転動体２の両端の側の寸法は、転動体２が内部空室部９で無作為な姿勢で回転することなく転動体２の外周面２０と周側突き放し部１１；１２の外周面２１；２２とを内部空室部９の内周面に向き合うような作為な姿勢で回転する大きさに構成された形態である。図１、図５乃至図９のそれぞれに示す端側突き放し部１３；１４が設けられても、実施は可能である。
【００５０】
尚、図示しないが、周側突き放し部１１；１２の何れか一方が転動体２に設けられ、周側突き放し部１１；１２の何れか他方が内部空室部９に設けられても、実施は可能である。又、端側突き放し部１３；１４の何れか一方が転動体２に設けられ、端側突き放し部１３；１４の何れか他方が内部空室部９に設けられても、実施は可能である。
【符号の説明】
【００５１】
１はホイッスル、２は転動体、３はホイッスル本体部、４はホイッスルケース部、５はマウスピース部、６は共鳴室部、７は吹出口部、８は空気誘導通路、９は内部空室部、１０は欠番、１１；１２は周側突き放し部、１３；１４は端側突き放し部、１５は開口側嵌合部、１６は周縁側嵌合部、１７は開口側嵌合部、１８は突起部、１９は周縁側嵌合部、２０；２１；２２は外周面、２３は貫通孔部、２４は凹部、２５は内部空間部２６は上側共鳴室部、２７は下側共鳴室部、２８は上側内部空室部、２９は下側内部空室部、３０は上側開口側嵌合部、３１は下側開口側嵌合部、３２；３３は上周側突き放し部、３４；３５は下周側突き放し部、３６乃至４０は欠番、４１はホイッスル、４２は共鳴室部、４３は内部空室部、４４は転動体、４５はマウスピース部、４６は吹出口部。
【図１】
2014092709.tif 000003
【図２】
2014092709.tif 000004
【図３】
2014092709.tif 000005
【図４】
2014092709.tif 000006
【図５】
2014092709.tif 000007
【図６】
2014092709.tif 000008
【図７】
2014092709.tif 000009
【図８】
2014092709.tif 000010
【図９】
2014092709.tif 000011
【図１０】
2014092709.tif 000012
【図１１】
2014092709.tif 000013
【図１２】
2014092709.tif 000014
【図１３】
2014092709.tif 000015
【図１４】
2014092709.tif 000016
【図１５】
2014092709.tif 000017